(57)【要約】【課題】  コメント等の映像コンテンツに関する付加情報をタイムリーにユーザに提供でき、さらに、映像コンテンツに関する付加情報や映像コンテンツの再生操作等の利用者の利用状況情報を有効に活用する。【解決手段】  本発明は、ユーザからのコメント提供条件をサーバ（情報提供装置）に登録しておき、サーバは、提供条件に基づいて、コメント付加情報をユーザの端末環境に応じて提供する。また、映像コンテンツの再生操作等の利用状況を映像コンテンツの付加情報に反映させて提供する。【選択図】  図１
2006197356.tif 000002
【特許請求の範囲】
【請求項１】
情報提供装置が、コメント付与者、コメント付与時刻を含むコメントの映像コンテンツに関する付加情報をタイムリーにユーザ端末に提供する情報提供方法において、
前記情報提供装置は、
前記ユーザ端末から映像コンテンツに対応付けてユーザから指定されたコメントを含む映像コンテンツの付加情報の提供に関する提供条件を受け取り、映像コンテンツ記憶手段に格納する映像コンテンツ格納ステップと、
前記ユーザ端末から送信されたコメントを含む映像コンテンツの付加情報を受け取り、該付加情報を集計し、映像コンテンツ付加情報格納手段に格納する映像コンテンツ付加情報格納ステップと、
前記ユーザ端末から、各ユーザのメールアドレスを含むユーザ端末の環境情報を取得し、ユーザ端末環境記憶手段に格納するユーザ環境管理ステップと、
前記映像コンテンツ記憶手段の前記付加情報の提供に関する提供条件に基づいて、前記ユーザ端末環境記憶手段から提供するユーザ端末の環境情報を読み出し、該ユーザ端末に前記映像コンテンツ付加情報記憶手段から読み出した前記付加情報及び集計した結果を提供する付加情報提供ステップと、
を行うことを特徴とする情報提供方法。
【請求項２】
前記映像コンテンツ情報格納ステップにおいて、
前記付加情報を集計する際に、コメント時刻、コメント数、コメント内容の各付加情報を集計し、
前記付加情報提供ステップにおいて、
前記付加情報の提供の可否、提供のタイミング、提供内容のレベル・提供される人、提供方法、映像コンテンツ削除後のコメントの付加情報の提供の可否情報のうちのいずれか、または全ての前記提供条件に基づいて、前記映像コンテンツ情報格納ステップで集計された情報を提供する請求項１記載の情報提供方法。
【請求項３】
コメント付与者、コメント付与時刻を含むコメント等の映像コンテンツに関する付加情報をタイムリーにユーザ端末に提供する情報提供装置であって、
前記ユーザ端末から映像コンテンツに対応付けてユーザから指定されたコメントを含む映像コンテンツに関する付加情報の提供に関する提供条件を受け取り、映像コンテンツ記憶手段に格納する映像コンテンツ格納手段と、
前記ユーザ端末から送信されたコメントを含む映像コンテンツに関する付加情報を受け取り、該付加情報を集計し、映像コンテンツ付加情報記憶手段に格納する映像コンテンツ付加情報集計手段と、
前記ユーザ端末から、各ユーザのメールアドレスを含むユーザの環境情報を取得し、ユーザ端末環境記憶手段に格納するユーザ環境管理手段と、
前記映像コンテンツ記憶手段の前記付加情報の提供に関する提供条件に基づいて、前記ユーザ端末環境記憶手段から提供するユーザ端末の環境情報を読み出し、該ユーザ端末に前記映像コンテンツ付加情報記憶手段から読み出した前記付加情報及び集計した結果を提供する付加情報提供手段と、
を有することを特徴とする情報提供装置。
【請求項４】
前記映像コンテンツ情報集計手段は、
前記付加情報を集計する際に、コメント時刻、コメント数、コメント内容の各付加情報を集計する手段を有し、
前記付加情報提供手段は、
前記付加情報の提供の可否、提供のタイミング、提供内容のレベル・提供される人、提供方法・映像コンテンツ削除後のコメントの付加情報の提供の可否情報のうちのいずれか、または全ての前記提供条件に基づいて、前記映像コンテンツ情報格納ステップで集計された情報を提供する手段を含む請求項３記載の情報提供装置。
【請求項５】
コメント付与者、コメント付与時刻を含むコメント等の映像コンテンツに関する付加情報をタイムリーにユーザ端末に提供する情報提供プログラムであって、
前記請求項１記載の情報提供方法を実現するための方法をコンピュータに実行させることを特徴とする情報提供プログラム。
【請求項６】
コメント付与者、コメント付与時刻を含むコメント等の映像コンテンツに関する付加情報をタイムリーにユーザ端末に提供する情報提供プログラムを格納した記憶媒体であって、
前記請求項１記載の情報提供方法を実現するための方法をコンピュータに実行させるプログラムを格納したことを特徴とする情報提供プログラムを格納した記憶媒体。
【請求項７】
情報提供装置が、コメント付与者、コメント付与時刻を含むコメント等の映像コンテンツに関する付加情報や、映像コンテンツの再生操作を含む利用状況情報を有効的に活用し、ユーザ端末に提供する情報提供方法において、
前記ユーザ端末からシステム利用時の映像コンテンツリストの要求を取得すると、映像コンテンツ記憶手段から映像コンテンツリストを読み出す映像コンテンツリスト取得ステップと、
コメントを含む映像コンテンツに関する付加情報や映像コンテンツの再生操作を含む利用状況情報を映像コンテンツ付加情報記憶手段から読み出して、前記映像コンテンツリストに該利用状況情報を反映させた結果を前記ユーザ端末に提供する情報提供ステップと、
を行うことを特徴とする情報提供方法。
【請求項８】
前記情報提供ステップにおいて、
コメント数、コメント付与時刻、コメント内容、映像コンテンツ再生操作回数、映像コンテンツ再生時刻、映像コンテンツ再生内容のいずれか、またはすべての前記利用状況情報に基づいて前記映像コンテンツリストを集計して前記ユーザ端末に提供する請求項７記載の情報提供方法。
【請求項９】
コメント付与者、コメント付与時刻を含むコメント等の映像コンテンツに関する付加情報や、映像コンテンツの再生操作を含む利用状況情報を有効的に活用し、ユーザ端末に提供する情報提供装置であって、
映像コンテンツに対応する映像コンテンツＩＤ、コメント付与時刻、コメント付与者、コメント内容を含む映像コンテンツリストを格納する映像コンテンツ記憶手段と、
前記ユーザ端末からシステム利用時の映像コンテンツリストの要求を取得すると、前記映像コンテンツ記憶手段から映像コンテンツリストを読み出す映像コンテンツリスト取得手段と、
コメントを含む映像コンテンツに関する付加情報や映像コンテンツの再生操作を含む利用状況情報を格納する映像コンテンツ付加情報記憶手段と、
前記映像コンテンツ付加情報記憶手段から前記利用状況情報を読み出して、前記映像コンテンツリストに該利用状況情報を反映させた結果を前記ユーザ端末に提供する情報提供手段と、
を有することを特徴とする情報提供装置。
【請求項１０】
前記情報提供手段は、
コメント数、コメント付与時刻、コメント内容、映像コンテンツ再生操作回数、映像コンテンツ再生時刻、映像コンテンツ再生内容のいずれか、または全ての前記利用状況情報に基づいて前記映像コンテンツリストを集計して前記ユーザ端末に提供する手段を含む請求項９記載の情報提供装置。
【請求項１１】
コメント付与者、コメント付与時刻を含むコメント等の映像コンテンツに関する付加情報や、映像コンテンツの再生操作を含む利用状況情報を有効的に活用し、ユーザ端末に提供する情報提供プログラムであって、
前記請求項７または、８記載の情報提供方法を実現するための処理をコンピュータに実行させることを特徴とする情報提供プログラム。
【請求項１２】
コメント付与者、コメント付与時刻を含むコメント等の映像コンテンツに関する付加情報や、映像コンテンツの再生操作を含む利用状況情報を有効的に活用し、ユーザ端末に提供する情報提供プログラムを格納した記憶媒体であって、
前記請求項７または、８記載の情報提供方法を実現するための処理をコンピュータに実行させるプログラムを格納したことを特徴とする情報提供プログラムを格納した記憶媒体。
【発明の詳細な説明】
【技術分野】
【０００１】
本発明は、情報提供方法及び装置及び情報提供プログラム及び情報提供プログラムを格納した記憶媒体に係り、特に、インターネット等のネットワークを用いて、遠隔多地点に分散した複数のユーザのコンピュータ端末から、ユーザがコメントをサーバに登録し、遠隔多地点に分散した複数のユーザのコンピュータ端末間で、映像コンテンツを共有する、あるいは、共有して活用する、映像共有方法やシステムにおいて、
１）コメント等の映像コンテンツ等に関する付加情報をタイムリーに提供するための情報提供方法及びシステム及び情報提供プログラム、
及び、
２）コメント等の映像コンテンツ等に関する付加情報や、映像コンテンツ等の再生操作等の利用者の利用状況情報を有効的に活用する情報提供方法及び装置及び情報提供プログラム及び情報提供プログラムを格納した記憶媒体に関する。
【背景技術】
【０００２】
現在、インターネット等のネットワークを用いて、映像コンテンツを共有しよう、あるいは共有して活用しようという、場やそのための方法がある。
【０００３】
例えば、個人のＷｅｂＰａｇｅや遠隔会議システムである。
【０００４】
それらの方法やシステムには、
１）映像コンテンツに対して入力されたコメント同士の関連性を効果的に表示したり、コメントの対象を明確に指示したりする方法やシステム；
２）コメントを映像コンテンツに反映させて、コメントを新たな映像コンテンツを制作・配信するのに活用する方法やシステム；
がある。
【０００５】
従来のインターネット等のネットワークを用いて、遠隔多地点に分散した複数のユーザのコンピュータ端末間で、映像コンテンツを共有しよう、あるいは共有して活用しようという、映像共有方法やシステムでは、映像コンテンツに対するコメントを入力・提示することにより、コミュニケーションが活発になる。
【０００６】
このような考えの第１の従来技術として、映像コンテンツに対して入力されたコメント同士の関連性を効果的に表示したり、コメントの対象を明確に指示したりするものがある（例えば、特許文献１参照）。
【０００７】
また、コメント等の映像コンテンツ等に関する付加情報や、映像コンテンツ等の再生操作等の利用者の利用状況情報の有効的に活用する方法として、ディジタルコンテンツを配信する方法やシステムにおいて、コンテンツにコメントを付与するものがある。
【０００８】
このような考えの第２の従来技術として、コメントを映像コンテンツに反映させてコメントを新たな映像コンテンツを制作・配信するのに活用するものがある（例えば、特許文献２参照）。
【特許文献１】特開２００３−２８３９８号公報「映像コメント入力・表示方法及びシステムと、クライアント装置と、映像コメント入力・表示プログラム及びその記憶媒体」
【特許文献２】特開２００２−１４９５５４号公報「ディジタルコンテンツ制作・配信システム用サーバ装置、ディジタルコンテンツ制作・配信方法及び記憶媒体」
【発明の開示】
【発明が解決しようとする課題】
【０００９】
しかしながら、上記第１の従来技術では、コメントの場所を特定したり、コメント同士の関連性を把握し、映像コンテンツ共有時のコメントの表示のみを対象としているため、システムを利用していない時には、コメント等は提供されず、コメント等をタイムリーに提供することができない。また、利用者もシステムを利用していない時にコメント等が登録されても、次にシステムを利用するまでは気付かない。
【００１０】
また、上記第２の従来技術では、コメントは利用者が映像コンテンツを制作することを目的に活用されるため、利用者がコメント等を映像コンテンツを制作することを目的に活用しない場合は、コメント等は活用がされない。また、コメント等を映像コンテンツを制作すること以外の目的への活用を想定していない。
【００１１】
本発明は、上記の点に鑑みなされたもので、コメント等の映像コンテンツに関する付加情報をタイムリーにユーザに提供でき、さらに、映像コンテンツに関する付加情報や映像コンテンツの再生操作等の利用者の利用状況情報を有効に活用することが可能な情報提供方法及び装置及び情報提供プログラム及び情報提供プログラムを格納した記憶媒体を提供することを目的とする。
【課題を解決するための手段】
【００１２】
図１は、本発明の原理説明図である。
【００１３】
本発明（請求項１）は、情報提供装置が、コメント付与者、コメント付与時刻を含むコメントの映像コンテンツに関する付加情報をタイムリーにユーザ端末に提供する情報提供方法において、
情報提供装置は、
ユーザ端末から映像コンテンツに対応付けてユーザから指定されたコメントを含む映像コンテンツの付加情報の提供に関する提供条件を受け取り、映像コンテンツ記憶手段に格納する映像コンテンツ格納ステップ（ステップ１）と、
ユーザ端末から送信されたコメントを含む映像コンテンツの付加情報を受け取り、該付加情報を集計し、映像コンテンツ付加情報格納手段に格納する映像コンテンツ付加情報格納ステップ（ステップ２）と、
ユーザ端末から、各ユーザのメールアドレスを含むユーザ端末の環境情報を取得し、ユーザ端末環境記憶手段に格納するユーザ環境管理ステップ（ステップ３）と、
映像コンテンツ記憶手段の付加情報の提供に関する提供条件に基づいて、ユーザ端末環境記憶手段から提供するユーザ端末の環境情報を読み出し、該ユーザ端末に映像コンテンツ付加情報記憶手段から読み出した付加情報及び集計した結果を提供する付加情報提供ステップ（ステップ４）と、を行う。
【００１４】
本発明（請求項２）は、映像コンテンツ情報格納ステップにおいて、
付加情報を集計する際に、コメント時刻、コメント数、コメント内容の各付加情報を集計し、
付加情報提供ステップにおいて、
付加情報の提供の可否、提供のタイミング、提供内容のレベル・提供される人、提供方法、映像コンテンツ削除後のコメントの付加情報の提供の可否情報のうちのいずれか、または全ての提供条件に基づいて、映像コンテンツ情報格納ステップで集計された情報を提供する。
【００１５】
図２は、本発明の原理構成図である。
【００１６】
本発明（請求項３）は、コメント付与者、コメント付与時刻を含むコメント等の映像コンテンツに関する付加情報をタイムリーにユーザ端末に提供する情報提供装置であって、
ユーザ端末２０から映像コンテンツに対応付けてユーザから指定されたコメントを含む映像コンテンツに関する付加情報の提供に関する提供条件を受け取り、映像コンテンツ記憶手段７に格納する映像コンテンツ格納手段３と、
ユーザ端末２０から送信されたコメントを含む映像コンテンツに関する付加情報を受け取り、該付加情報を集計し、映像コンテンツ付加情報記憶手段８に格納する映像コンテンツ付加情報集計手段４と、
ユーザ端末２０から、各ユーザのメールアドレスを含むユーザの環境情報を取得し、ユーザ端末環境記憶手段９に格納するユーザ環境管理手段５と、
映像コンテンツ記憶手段７の付加情報の提供に関する提供条件に基づいて、ユーザ端末環境記憶手段９から提供するユーザ端末の環境情報を読み出し、該ユーザ端末に映像コンテンツ付加情報記憶手段８から読み出した付加情報及び集計した結果を提供する付加情報提供手段６と、を有する。
【００１７】
また、本発明（請求項４）は、映像コンテンツ情報集計手段４において、
付加情報を集計する際に、コメント時刻、コメント数、コメント内容の各付加情報を集計する手段を有し、
付加情報提供手段６は、
付加情報の提供の可否、提供のタイミング、提供内容のレベル・提供される人、提供方法・映像コンテンツ削除後のコメントの付加情報の提供の可否情報のうちのいずれか、または全ての提供条件に基づいて、映像コンテンツ情報格納ステップで集計された情報を提供する手段を含む。
【００１８】
本発明（請求項５）は、コメント付与者、コメント付与時刻を含むコメント等の映像コンテンツに関する付加情報をタイムリーにユーザ端末に提供する情報提供プログラムであって、
請求項１記載の情報提供方法を実現するための方法をコンピュータに実行させるプログラムである。
【００１９】
本発明（請求項６）は、コメント付与者、コメント付与時刻を含むコメント等の映像コンテンツに関する付加情報をタイムリーにユーザ端末に提供する情報提供プログラムを格納した記憶媒体であって、請求項１記載の情報提供方法を実現するための方法をコンピュータに実行させるプログラムを格納した記憶媒体である。
【００２０】
本発明（請求項７）は、情報提供装置が、コメント付与者、コメント付与時刻を含むコメント等の映像コンテンツに関する付加情報や、映像コンテンツの再生操作を含む利用状況情報を有効的に活用し、ユーザ端末に提供する情報提供方法において、
ユーザ端末からシステム利用時の映像コンテンツリストの要求を取得すると、映像コンテンツ記憶手段から映像コンテンツリストを読み出す映像コンテンツリスト取得ステップと、
コメントを含む映像コンテンツに関する付加情報や映像コンテンツの再生操作を含む利用状況情報を映像コンテンツ付加情報記憶手段から読み出して、映像コンテンツリストに該利用状況情報を反映させた結果をユーザ端末に提供する情報提供ステップと、を行う。
【００２１】
また、本発明（請求項８）は、情報提供ステップにおいて、
コメント数、コメント付与時刻、コメント内容、映像コンテンツ再生操作回数、映像コンテンツ再生時刻、映像コンテンツ再生内容のいずれか、またはすべての利用状況情報に基づいて映像コンテンツリストを集計してユーザ端末に提供する。
【００２２】
本発明（請求項９）は、コメント付与者、コメント付与時刻を含むコメント等の映像コンテンツに関する付加情報や、映像コンテンツの再生操作を含む利用状況情報を有効的に活用し、ユーザ端末に提供する情報提供装置であって、
映像コンテンツに対応する映像コンテンツＩＤ、コメント付与時刻、コメント付与者、コメント内容を含む映像コンテンツリストを格納する映像コンテンツ記憶手段と、
ユーザ端末からシステム利用時の映像コンテンツリストの要求を取得すると、映像コンテンツ記憶手段から映像コンテンツリストを読み出す映像コンテンツリスト取得手段と、
コメントを含む映像コンテンツに関する付加情報や映像コンテンツの再生操作を含む利用状況情報を格納する映像コンテンツ付加情報記憶手段と、
映像コンテンツ付加情報記憶手段から利用状況情報を読み出して、映像コンテンツリストに該利用状況情報を反映させた結果をユーザ端末に提供する情報提供手段と、を有する。
【００２３】
また、本発明（請求項１０）は、情報提供手段において、
コメント数、コメント付与時刻、コメント内容、映像コンテンツ再生操作回数、映像コンテンツ再生時刻、映像コンテンツ再生内容のいずれか、または全ての利用状況情報に基づいて映像コンテンツリストを集計してユーザ端末に提供する手段を含む。
【００２４】
本発明（請求項１１）は、コメント付与者、コメント付与時刻を含むコメント等の映像コンテンツに関する付加情報や、映像コンテンツの再生操作を含む利用状況情報を有効的に活用し、ユーザ端末に提供する情報提供プログラムであって、
請求項７または、８記載の情報提供方法を実現するための処理をコンピュータに実行させるプログラムである。
【００２５】
本発明（請求項１２）は、コメント付与者、コメント付与時刻を含むコメント等の映像コンテンツに関する付加情報や、映像コンテンツの再生操作を含む利用状況情報を有効的に活用し、ユーザ端末に提供する情報提供プログラムを格納した記憶媒体であって、
請求項７または、８記載の情報提供方法を実現するための処理をコンピュータに実行させるプログラムを格納した記憶媒体である。
【発明の効果】
【００２６】
本発明によれば、コメント等の映像コンテンツ等に関する付加情報がタイムリーに提供され、コミュニケーションがより活発になったり、映像コンテンツの登録・再生がより積極的になされる。
【００２７】
また、コメント等の映像コンテンツ等に関する付加情報や、映像コンテンツ等の再生操作等の利用者の利用状況情報が有効的に活用され、コミュニケーション及び映像コンテンツの登録・再生の活発化が図れる。
【発明を実施するための最良の形態】
【００２８】
以下、図面と共に本発明の実施の形態を説明する。
【００２９】
なお、本実施の形態の説明に用いる全図において、同一機能を有するものは同一付与を付し、その繰り返しの説明は省略する。
【００３０】
［第１の実施の形態］
図３は、本発明の第１の実施の形態における情報提供装置の構成図である。
【００３１】
同図に示す情報提供装置１０は、サーバとして動作し、ユーザ端末２０とネットワーク（図示せず）を介して接続される。
【００３２】
情報提供装置１０は、ユーザ端末２０との間の情報やデータの受け渡しをする入出力部２、映像コンテンツ及び映像コンテンツの提供条件等を映像コンテンツＤＢ７に格納する映像コンテンツ格納部３、映像コンテンツのコメントに関する付加情報を集計し、付加情報と共に集計結果を映像コンテンツ付加情報ＤＢ８に格納する映像コンテンツ付加情報格納部４、各ユーザのメールアドレス等のユーザの環境を取得し、ユーザ端末環境ＤＢ９に格納するユーザ環境管理部５、ユーザ端末２０に対して、映像コンテンツ付加情報ＤＢ８，映像コンテンツＤＢ７に格納されている情報を読み出して、ユーザ端末環境ＤＢ９に格納されているユーザ端末の宛先に映像コンテンツ付加情報の内容を提供する映像コンテンツ付加情報提供部６から構成される。
【００３３】
本実施の形態では、映像を共有し、映像の表示制御を同期する方法やシステムで、コメント等（コメント付与者、コメント付与時刻）の映像コンテンツ等（動画、静止画、スライドショー）に関する付加情報をタイムリーに提供する例を説明する。
【００３４】
図４は、本発明の第１の実施の形態における情報提供装置の動作のフローチャートである。
【００３５】
ステップ１０１）  映像コンテンツ格納部３は、入出力部２を経由して、ユーザ端末２０から、映像コンテンツ及び、ユーザによって指定／選択され、映像コンテンツに対応付けられたシステム利用時以外でのコメント等の映像コンテンツ等に関する付加情報の提供の可否・提供のタイミング・提供内容のレベル・提供される人、提供方法・映像コンテンツ削除後のコメント等の付加情報の提供の可否を含む提供条件を受け取り、映像コンテンツＤＢ７に格納する。これらの映像コンテンツと提供条件は、例えば、映像コンテンツＩＤに対応付けられて格納されるものとする。
【００３６】
提供条件の例を以下に示す。
【００３７】
また、「Ａ：システム利用時以外でのコメント等の映像コンテンツ等に関する付加情報の提供の可否」の提供条件は、『提供する』場合には「１」、『提供しない』場合は「２」が設定される。
【００３８】
「Ｂ：システム利用時以外でのコメント等の映像コンテンツ等に関する付加情報の提供のタイミング」の提供条件は、『コメントが登録される都度』である場合は「１」が、『映像コンテンツが再生される都度』である場合は「２」が、『一定間隔毎』である場合は「３」が設定される。
【００３９】
「Ｃ：システム利用時以外でのコメント等の映像コンテンツ等に関する付加情報の提供内容のレベル」の提供条件は、『コメントの登録があったこと』である場合は「１」が、『映像コンテンツの再生あったこと』である場合は「２」が、『再生の回数』の場合は「３」が、『コメントの内容』である場合は「４」が設定される。
【００４０】
「Ｄ：システム利用時以外でのコメント等の映像コンテンツ等に関する付加情報を提供される人」の提供条件は、『映像コンテンツ登録者』である場合は「１」が、『映像コンテンツ登録者と同じコミュニティの人』である場合は「２」が、『システム利用者全員』である場合は「３」が設定される。
【００４１】
「Ｅ：システム利用時以外でのコメント等の映像コンテンツに関する付加情報の提供方法」の提供条件は、『メール』である場合は「１」が、『専用Ｗｅｂ』である場合「２」が設定される。
【００４２】
「Ｆ：削除した映像コンテンツ等のコメント等の映像コンテンツ等に関する付加情報の提供の可否」の提供条件は、『提供する』場合は「１」が、『提供しない』場合は「２」が設定される。
【００４３】
上記のように設定された例を図５に示す。
【００４４】
なお、上記の図５に示す設定項目のうち、ＡとＦについては、１）と２）のいずれか１つのみを設定することになる。また、Ｂ，Ｃ，Ｄ，Ｅの設定項目については、複数の設定内容を設定することが可能である。たとえば、設定項目Ｂについては、１）∧２）∧３）の３つを設定してもよい。Ｃ〜Ｅについても同様である。
【００４５】
ステップ１０２）  映像コンテンツ付加情報格納部４は、入出力部２を経由して、ユーザ端末２０から、映像コンテンツ等に関するコメント等を受け取ると、コメント時刻、コメント数、コメント内容等の情報を集計し、映像コンテンツ等に関する付加情報として映像コンテンツ付加情報ＤＢ８に格納する。このとき、コメントは映像コンテンツＩＤに対応させて映像コンテンツ付加情報ＤＢ８に格納するものとする。コメント時刻は、コメントが入出力部２に入力された時刻であり、コメント数は、ある映像コンテンツＩＤに対して入力されたコメントのカウント値である。また、コメントの内容は、入力された文字列そのものを格納してもよいし、または、入力されたコメントの文字列を形態素解析し、名詞句毎に分類し、カテゴライズした結果を格納してもよい。なお、コメントの内容をどのように編集するかは本発明の主旨ではなく、種々の方法を用いることが可能である。
【００４６】
ステップ１０３）  ユーザ端末環境管理部５は、入出力部２を経由して、ユーザ端末２０から、各ユーザのメールアドレスや、ユーザＩＤ、通信形態等のユーザの環境情報を受け取り、ユーザ端末環境ＤＢ９に格納する。
【００４７】
ステップ１０４）  映像コンテンツ付加情報提供部６は、映像コンテンツＤＢ７のコメント等の映像コンテンツ等に関する付加情報の提供に関する提供条件を参照して、映像コンテンツ付加情報ＤＢ８のコメント等の映像コンテンツ等に関する付加情報を読み出し、ユーザ端末環境ＤＢ９を検索してユーザ端末のユーザの環境情報（メールアドレス）を取得し、入出力部２を経由してユーザ端末２０に送信する。
【００４８】
ここで、図５に示す映像コンテンツ格納部３に以下に示す内容が設定されている場合の映像コンテンツ付加情報提供部６の情報提供動作について説明する。
【００４９】
Ａ：１）提供する
Ｂ：２）一定間隔毎
Ｃ：１）コメントの登録があったこと
Ｄ：３）システム利用者全員
Ｅ：１）メール
Ｆ：１）提供する
映像コンテンツ付加情報提供部６は、映像コンテンツ格納部３のＡ〜Ｆの設定を参照して、映像コンテンツ付加情報ＤＢ８のコメント等の映像コンテンツ等に関する付加情報を読み出し、また、ユーザ端末環境ＤＢ９に格納されている全ユーザ端末のユーザのメールアドレスに基づいて、コンテンツ入出力部２を経由して全ユーザ端末２０に送信する。
なお、このとき、ユーザ端末環境管理部５には、システム利用者全員のメールアドレスが登録されているものとする。
【００５０】
また、映像コンテンツに対するコメントが削除された場合には、ユーザ端末環境管理部５から全ユーザ端末のメールアドレスを取得し、当該アドレスに対してコメントが削除されたことを通知する。
【００５１】
上記のように、本実施の形態によれば、コメントが登録されることで、自分の登録した映像コンテンツが見られることがわかり、張り合いが出て、映像コンテンツの登録やコミュニケーションの活性化がなされる。また、システムの利用時以外にも、コメントがタイムリーに提供されると、より映像コンテンツの登録やコミュニケーションの活性化がなされる。これにより、コメント等の映像コンテンツ等に関する付加情報がタイムリーに提供されないという問題が解決される。
【００５２】
［第２の実施の形態］
本実施の形態では、映像を共有し、映像の表示制御を同期する方法やシステムで、コメント（及び、コメント数、コメント付与時刻）の映像コンテンツ（動画、静止画、スライドショー）に関する付加情報や、映像コンテンツ等の再生操作等（映像コンテンツ再生操作回数、映像コンテンツ再生時刻）の利用者の利用状況情報を有効的に活用する例を説明する。
【００５３】
図６は、本発明の第２の実施の形態における情報提供装置の構成図である。
【００５４】
同図に示す情報提供装置１０は、ユーザ端末２０との間の情報やデータの受け渡しをする入出力部２、映像コンテンツと当該映像コンテンツに対応する映像コンテンツＩＤ，コメント付与時刻、コメント付与者名、コメント内容を映像コンテンツＤＢ１７に格納する映像コンテンツ格納部１７、映像コンテンツのコメントに関する情報や、映像再生操作に関する情報等を集計し、映像コンテンツ付加情報ＤＢ１８に格納する映像コンテンツ付加情報格納部７、ユーザ端末２０に対して映像コンテンツ付加情報や利用者の利用状況情報を反映した内容を提供する映像コンテンツ付加情報提供部１６から構成される。
【００５５】
図７は、本発明の第２の実施の形態における情報提供装置の動作のフローチャートである。
【００５６】
ステップ２０１）  映像コンテンツ付加情報提供部１６は、入出力部２を介してユーザ端末２０から、システム利用時の映像コンテンツリストの要求を受け取る。
【００５７】
ステップ２０２）  映像コンテンツ付加情報提供部１６は、映像コンテンツリストの提供の要求を受け取ると、映像コンテンツＩＤ、コメント付与時刻、コメント付与者、コメント内容からなる情報を映像コンテンツＤＢ１７から映像コンテンツリストとして読み出す。
【００５８】
ステップ２０３）  映像コンテンツ付加情報提供部１６は、映像コンテンツ付加情報ＤＢ１８から、コメント等の映像コンテンツに関する付加情報や、映像コンテンツの再生操作の利用者の利用状況情報を読み出す。具体的には、映像コンテンツＩＤ、映像再生操作時刻、映像再生操作者、映像再生操作内容を取得する。
【００５９】
ステップ２０４）  映像コンテンツ付加情報提供部１６は、ステップ２０２で取得した映像コンテンツリスト、ステップ２０３で取得した利用者の利用状況情報を活用することにより、コメント等の映像コンテンツ等に関する付加情報や映像コンテンツ等の再生操作等の利用者の利用状況情報を反映させて、入出力部２を経由してユーザ端末２０に提供する。具体的には、コメント数、コメント時刻、コメント内容からなる映像コンテンツリスト、映像コンテンツ再生操作回数、映像コンテンツ再生操作時刻、映像コンテンツ再生操作内容を集計し、映像コンテンツの提示に利用する。例えば、
・コメント数（コメント数を集計したもの）の多い順；
・最近のコメント（コメント時刻に基づいて取得）順；
・再生操作回数（映像コンテンツ再生操作回数の集計値）の多い順；
・最近の再生操作（映像コンテンツ再生操作時刻に基づいて取得）順：
・コメント有無で分類した結果；
・映像再生の有無で分類した結果；
・コメントの同一キーワードで分類した結果；
等の情報を反映させた情報をユーザ端末２０に提供する。
【００６０】
映像コンテンツ付加情報提供部１８からユーザ端末２０に提供される情報は、例えば、映像コンテンツリスト（コメント数、コメント付与時刻、コメント内容、映像コンテンツ再生操作回数、映像コンテンツ再生時刻、映像コンテンツ再生内容）である。但し、映像コンテンツ名は必須であるが、それ以外のものについては任意に提供される。
【００６１】
図８に、映像コンテンツ付加情報提供部１８での、映像コンテンツリスト等を、コメント等の映像コンテンツ等に関する付加情報や映像コンテンツ等の再生操作等の利用者の利用状況情報を活用することにより、コメント等の映像コンテンツ等に関する付加情報や映像コンテンツ等の再生操作等の利用者の利用状況情報を反映させて、ユーザの端末２０に提供する設定の一例を示す。
【００６２】
なお、前述の図３、図６に示す情報提供装置の一部もしくは全部の機能を、情報機器（コンピュータ）を用いて実現することができること、あるいは、図４、図７で示した処理の段階を情報機器に実行させることは言うまでもなく、情報機器でその各部の機能を実現するためのプログラム、あるいは、情報機器にその処理の段階を実行させるためのプログラムを、その情報機器が読み取り可能な記憶媒体、例えば、ＦＤ（フレキシブルディスク）、ＭＯ，ＲＯＭ，メモリカード、ＳＤ，ＤＶＤ，リムーバルディスク等に記録して、保存したり、提供したり、配布したりすることも可能である。
【００６３】
以上、本発明の実施の形態例で具体的に説明したが、本発明は、実施の形態に限定されることなく、その要旨を逸脱しない範囲において、種々変更可能であることはいうまでもない。
【産業上の利用可能性】
【００６４】
インターネット等のネットワークを用いて、遠隔多地点に分散した複数のユーザ端末から、ユーザがコメントをサーバに登録し、遠隔多地点に分散した複数のユーザ端末間で、映像コンテンツを共有する、あるいは、共有して活用するシステムに適用可能である。
【図面の簡単な説明】
【００６５】
【図１】本発明の原理説明図である。
【図２】本発明の原理構成図である。
【図３】本発明の第１の実施の形態における情報提供装置の構成図である。
【図４】本発明の第１の実施の形態における情報提供装置の動作のフローチャートである。
【図５】本発明の第１の実施の形態における映像コンテンツ格納部に格納されるデータの例である。
【図６】本発明の第２の実施の形態における情報提供装置の構成図である。
【図７】本発明の第２の実施の形態における情報提供装置の動作のフローチャートである。
【図８】本発明の第２の実施の形態における映像コンテンツリスト提供時の設定情報の例である。
【符号の説明】
【００６６】
２  入出力部
３  映像コンテンツ格納手段、映像コンテンツ格納部
４  映像コンテンツ付加情報格納手段、映像コンテンツ付加情報格納部
５  ユーザ環境管理手段、ユーザ端末環境管理部
６  付加情報提供手段、映像コンテンツ付加情報提供部
７  映像コンテンツ記憶手段、映像コンテンツＤＢ
８  映像コンテンツ付加情報記憶手段、映像コンテンツ付加情報ＤＢ
９  ユーザ端末環境記憶手段、ユーザ端末環境ＤＢ
１０  情報提供装置
１４  映像コンテンツ付加情報格納部
１６  映像コンテンツ付加情報提供部
１７  映像コンテンツＤＢ
１８  映像コンテンツ付加情報ＤＢ
２０  ユーザ端末
【図１】
2006197356.tif 000003
【図２】
2006197356.tif 000004
【図３】
2006197356.tif 000005
【図４】
2006197356.tif 000006
【図５】
2006197356.tif 000007
【図６】
2006197356.tif 000008
【図７】
2006197356.tif 000009
【図８】
2006197356.tif 000010